(57)【要約】      （修正有）【課題】外部光を有効に利用する夜光性装飾物であって、暗所では夜光性部材の発光によりグラデーション模様、文字、絵柄などを描いて趣のある視認性及び装飾性を付与した夜光性装飾物を提供する。【解決手段】暗所での視認性及び装飾性を付与した夜光性装飾物１５０であって、暗所で視認性を付与するための夜光性部材と、明所での視認性及び装飾性を有する装飾部材２とを備え、夜光性部材と装飾部材２とが同一領域内に配置され、同一領域内に、光透過率が異なる領域を設けた。【選択図】図１Ａ
2018018063.tif 000002
【特許請求の範囲】
【請求項１】
暗所での視認性及び装飾性を付与した夜光性装飾物であって、
暗所で視認性を付与するための夜光性部材と、
明所での視認性及び装飾性を有する装飾部材と、を備え
前記夜光性部材と前記装飾部材とが同一領域内に配置され、
前記同一領域内に、光透過率が異なる領域を有する
ことを特徴とする夜光性装飾物。
【請求項２】
前記光透過率が異なる領域は、帯状又はドット状の領域である
ことを特徴とする請求項１に記載の夜光性装飾物。
【請求項３】
前記装飾部材は、厚みが異なる領域を有する
ことを特徴とする請求項１又は請求項２に記載の夜光性装飾物。
【請求項４】
前記装飾部材は、金属膜又は樹脂中に着色粒子を含有した着色層である
ことを特徴とする請求項１から請求項３のいずれか一つに記載の夜光性装飾物。
【請求項５】
前記着色層は、前記着色粒子の含有量が異なる領域を有する
ことを特徴とする請求項４に記載の夜光性装飾物。
【請求項６】
前記装飾部材は、前記夜光性部材を露出する複数の開口部を有し、
前記同一領域内に、前記夜光性部材と前記装飾部材との混在する比率が異なる領域を有する
ことを特徴とする請求項１又は請求項２に記載の夜光性装飾物。
【請求項７】
前記複数の開口部は、前記同一領域内で、隣り合う前記開口部の幅が、それぞれ互いに異なっている
ことを特徴とする請求項６に記載の夜光性装飾物。
【請求項８】
前記複数の開口部は、前記同一領域内で、前記複数の開口部の配置密度が異なっている
ことを特徴とする請求項６に記載の夜光性装飾物。
【請求項９】
前記複数の開口部のうちの少なくとも１つは、前記開口部の幅が異なっている部分を有する
ことを特徴とする請求項６から請求項８のいずれか一項に記載の夜光性装飾物。
【発明の詳細な説明】
【技術分野】
【０００１】
本発明は、腕時計、携帯電子機器、各種計器類等に適用する夜光性装飾物に関し、日中の明るい場所における視認性及び装飾性と、夜間の暗い場所での視認性及び装飾性とを付与した夜光性装飾物に関する。
【背景技術】
【０００２】
例えば、指針を用いる腕時計において、夜間の暗い場所（以下、「暗所」と記載する）でも時刻が視認できるように文字板及び指針の一部に蓄光性部材（以下、「夜光性部材」と記載する）を印刷、又はシート状にして貼り付けるなどの方法によって蓄光部を形成して、日中の明るい場所（以下、「明所」と記載する）では外部光により蓄光部にエネルギーを蓄え、夜間の暗所では蓄光部を発光させて、時刻の視認を可能にしたものが知られている。
【０００３】
このような腕時計では、暗所では蓄光部の発光により時刻を知ることができるが、明所では文字板又は指針に形成した夜光性部材が特有の白緑色系の色に見えて装飾性に欠けるという問題を指摘され改善が望まれていた。背景としては、腕時計は時刻を報知する装置としてだけでなく、装飾品としての役割があるためである。
【０００４】
このような要求に対しては、従来、例えば指針式の腕時計を例として、文字板を構成する部材及び夜光性部材の構造を工夫することによって、明所では夜光性部材が目立たないようにして文字板に印刷された時刻表示目盛りを視認して時刻を知り、暗所では明所で蓄光された夜光性部材の発光をバックライトとして用いて時刻表示目盛りを照明し時刻表示目盛りを黒い影として視認して時刻を知るような提案がなされている。（例えば、特許文献１参照。）。
【０００５】
特許文献１に示した従来技術は、文字板の構造として金属性の下面板とその上方に配置する上面部材とから構成され、下面板の上面の全面又は一部にセラミックスをベースにした金属酸化物からなる夜光性部材を塗布し、さらに夜光性部材の表面にクリアラッカーを塗布し、さらにクリアラッカーの上面を研磨して平面化することで上面部材を密着させて接着剤等により固着する構造になっている。また、上面部材はサファイアガラスや水晶等の鉱物又は合成樹脂などの極薄の透明材料を用いている。腕時計の文字板をこのような構造にすることによって、明所では上面部材に印刷、又は金属線を接着することにより形成された時刻表示目盛りを視認して時刻を知り、暗所では明所で蓄光された夜光性部材による上面部材の背後からの照明（バックライト）により、時刻表示目盛りを黒い影として視認して時刻を知ることができる。その結果、明所と暗所では異なった文字板の表示ができるようになっている。
【先行技術文献】
【特許文献】
【０００６】
【特許文献１】特開平７−４３４７７号公報（第１頁、図２）
【発明の概要】
【発明が解決しようとする課題】
【０００７】
しかしながら、特許文献１に示す従来技術は、時刻表示目盛りが印刷された上面部材の背後から夜光性部材により照明することで時刻表示目盛りを黒い影として視認するようにしているので、時刻を知ることはできるものの、明所における時刻表示目盛りの形状と暗所における時刻表示目盛りの形状に差がなく、しかも黒い影として視認されるため、趣の
ある装飾性を得難いという問題がある。尚、下面板の上面に格子状に区画された夜光性部材を配設し、半透明のすりガラス状の上面部材越しに満月の夜の障子を通した月光を見るような装飾効果を得る提案もあるが、半透明のすりガラス状の上面部材越しに夜光性部材特有の白緑色系の色味が見えてしまうのである。また上面部材に極薄の和紙や布地などを埋設して装飾性を保つ提案もされているが、透過光の明るさを損なってしまうという新たな問題が発生するのである。
【０００８】
このように、特許文献１に示した従来技術は、夜光性部材の発光を上面部材の背後からのバックライトとして用いる方式であるので、暗所では、明所と異なる趣のある装飾性を得難い。一方、背後からの照明を遮るような金属部材（例えばインジケータ等）を多用できないので装飾性に制約が生じる。また、上面部材越しに夜光性部材特有の白緑色系の色味が見えてしまい装飾性に欠けるという問題を解消することはできない。
【０００９】
そこで、本発明の目的は、上記問題点を解決しようとするものであり、外部光を有効に利用する夜光性装飾物であって、暗所では夜光性部材の発光によりグラデーション模様、文字、絵柄などを描いて趣のある視認性及び装飾性を付与した夜光性装飾物を提供することである。
【００１０】
また、本発明の他の目的は、明所では所望の金属感や所望の色彩を有する文字や絵柄などを描くことができる視認性及び装飾性を付与するとともに、夜光性部材に特有の白緑色系の色味を目立たなくした夜光性装飾物を提供することである。
【課題を解決するための手段】
【００１１】
本発明における夜光性装飾物の構成は以下の通りである。
暗所での視認性及び装飾性を付与した夜光性装飾物であって、暗所で視認性を付与するための夜光性部材と、明所での視認性及び装飾性を有する装飾部材と、を備え夜光性部材と装飾部材とが同一領域内に配置され、同一領域内に、光透過率が異なる領域を有することを特徴とする。
【００１２】
これにより、夜光性装飾物は夜光性部材と装飾部材とが同一領域内に混在して配置され夜光性部材としての機能と装飾部材としての機能とを同時に持つことができるので、暗所では同一領域内に光透過率が異なる領域を形成して発光の明暗差を作り出すことができる。また、明所では金属感などを有することができる。この結果、暗所では、夜光性部材の発光の明暗差によるグラデーション模様、文字などを描いて趣のある視認性及び装飾性を付与した夜光性装飾物を提供することができる。また明所では、金属感などを有する視認性及び装飾性を付与するとともに夜光性部材に特有の白緑色系の色味を目立たなくすることができる。
【００１３】
また、光透過率が異なる領域は、帯状又はドット状の領域であるとよい。
【００１４】
これにより、同一領域内に帯状又はドット状の領域を形成して、それぞれの領域の光透過率を変化させることができる。この結果、暗所では、発光の明暗差によるグラデーション模様、文字、絵柄などを描くことができる。また明所では、金属感などを有する文字や形状などを形成することができる。
【００１５】
また、装飾部材は、厚みが異なる領域を有するとよい。
【００１６】
これにより、装飾部材に厚みが異なる領域を形成することによって、光の透過率を変化させることができる。この結果、暗所では、発光の明暗差によるより多様なグラデーション模様、文字、絵柄などを描くことができる。また明所では、金属感などを有する文字や
形状などを形成することができる。
【００１７】
また、装飾部材は、金属膜又は樹脂中に着色粒子を含有した着色層であるとよい。
【００１８】
これにより、装飾部材は所望の領域に金属膜、又は樹脂中に着色粒子を含有した着色層を形成することができる。この結果、暗所では、光透過率を変化させて発光の明暗差によるグラデーション模様、文字、絵柄などを描くことができる。また、着色層に所定の着色粒子を用いることにより、所望の色彩を有するグラデーション模様、文字、絵柄などを描くことができる。また明所では、所望の金属感、又は所望の色彩を有する文字や絵柄を描くことができる。
【００１９】
また、着色層は、着色粒子の含有量が異なる領域を有するとよい。
【００２０】
これにより、装飾部材の所望の領域の着色層において、樹脂中に含有する着色粒子の含有量（密度）を変化させて光透過率を多様に変えることができる。この結果、暗所では、多様な発光の明暗差を用いたグラデーション模様、文字、絵柄などを描くことができる。また明所では、多様な色彩を有する文字や絵柄を描くことができる。
【００２１】
また、装飾部材は、夜光性部材を露出する複数の開口部を有し、同一領域内に、夜光性部材と装飾部材との混在する比率が異なる領域を有するとよい。
【００２２】
これにより、装飾部材は、夜光性部材を露出する帯状又はドット状の複数の開口部を有し、夜光性装飾物は夜光性部材と装飾部材とが同一領域内に混在して配置されるので、装飾部材としての機能と夜光性部材としての機能を同時に持つことができる。また、同一領域内に夜光性部材と装飾部材とが混在する比率が異なる領域を有することができるので、暗所では、光透過率を変化させて発光の明暗差をつくることができる。また明所では、金属感を有することができる。この結果、暗所では発光の明暗差によるグラデーション模様、文字、絵柄などを描いて趣のある視認性及び装飾性を付与した夜光性装飾物を提供することができ、また明所では、所望の金属感を有する視認性及び装飾性を付与するとともに夜光性部材に特有の白緑色系の色味を目立たなくすることができる。
【００２３】
また、複数の開口部は、同一領域内で、隣り合う開口部の幅が、それぞれ互いに異なっているとよい。
【００２４】
これにより、夜光性装飾物は、装飾部材の隣り合う開口部の幅を互いに変化させることによって、同一領域内に夜光性部材と装飾部材とが混在する比率を変えることができる。この結果、暗所では、光透過率を変化させて発光の明るい領域と暗い領域を形成して明暗差によるグラデーション模様、文字、絵柄など描くことができる。また明所では、所望の金属感を有する視認性及び装飾性を付与するとともに夜光性部材に特有の白緑色系の色味を目立たなくすることができる。
【００２５】
また、複数の開口部は、同一領域内で、複数の開口部の配置密度が異なっているとよい。
【００２６】
これにより、夜光性装飾物は、装飾部材の開口部の配置密度を変えることによって、同一領域内に夜光性部材と装飾部材とが混在する比率を変えることができる。この結果、暗所では、光透過率を変化させて発光の明るい領域と暗い領域を形成して明暗差によるグラデーション模様、文字、絵柄などを描くことができる。また明所では、所望の金属感を有する視認性及び装飾性を付与するとともに夜光性部材に特有の白緑色系の色味を目立たなくすることができる。
【００２７】
また、複数の開口部のうちの少なくとも１つは、開口部の幅が異なっている部分を有するとよい。
【００２８】
これにより、夜光性装飾物は、少なくとも１つの開口部の幅が異なっている部分を有することによって、暗所では光透過率を変化させて発光の明るい領域と暗い領域を形成して明暗差を作ることができる。この結果、暗所では、明暗差によるグラデーション模様、文字、絵柄などを描くことができる。また明所では、所望の金属感を有する視認性及び装飾性を付与するとともに夜光性部材に特有の白緑色系の色味を目立たなくすることができる。
【発明の効果】
【００２９】
本発明によれば、外部光を有効に利用する夜光性装飾物であって、同一領域内に夜光性部材と装飾部材とが配置され、同一領域内に光透過率の異なる領域を有するので、暗所では夜光性部材の発光の明るい領域と暗い領域とを形成することができる。これにより、発光の明暗差及び色彩によるグラデーション模様、文字、絵柄などを描くことができるので趣のある視認性及び装飾性を付与した夜光性装飾物を提供することができる。また明所では、所望の金属感や所望の色彩を有する文字、形状、絵柄などを描くことができる視認性及び装飾性を付与するとともに、夜光性部材に特有の白緑色系の色味を目立たなくした夜光性装飾物を提供することができる。
【図面の簡単な説明】
【００３０】
【図１Ａ】本発明の第１の実施形態を示す平面図である。
【図１Ｂ】本発明の第１の実施形態を示す断面図である。
【図２Ａ】本発明の第２の実施形態を示す平面図である。
【図２Ｂ】本発明の第２の実施形態を示す断面図である。
【図３Ａ】本発明の第３の実施形態を示す平面図である。
【図３Ｂ】本発明の第３の実施形態を示す断面図である。
【図４Ａ】本発明の第４の実施形態を示す平面図である。
【図４Ｂ】本発明の第４の実施形態を示す断面図である。
【図４Ｃ】本発明の第４の実施形態における変形例を示す平面図である。
【図５Ａ】本発明の第５の実施形態を示す平面図である。
【図５Ｂ】本発明の第５の実施形態を示す断面図である。
【図６Ａ】本発明の実施形態の製造工程を示す工程図である。
【図６Ｂ】本発明の実施形態の製造工程を示す工程図である。
【図６Ｃ】本発明の実施形態の製造工程を示す工程図である。
【図６Ｄ】本発明の実施形態の製造工程を示す工程図である。
【図７Ａ】本発明の実施形態における他の構成例を示す断面図である。
【図７Ｂ】本発明の実施形態における他の構成例を示す断面図である。
【図７Ｃ】本発明の実施形態における他の構成例を示す断面図である。
【図８Ａ】本発明の第６の実施形態を示す断面図である。
【図８Ｂ】本発明の第６の実施形態における変形例を示す断面図である。
【図８Ｃ】本発明の第７の実施形態を示す断面図である。
【図９Ａ】第６及び第７の実施形態の暗所での帯状の表示例を示す平面図である。
【図９Ｂ】第６及び第７の実施形態の暗所での立体形状の表示例を示す平面図である。
【図１０】本発明を指針式の腕時計に応用した例を示す断面図である。
【図１１Ａ】図１０の情報表示部の明所での表示例を示す平面図である。
【図１１Ｂ】図１０の情報表示部の暗所での表示例を示す平面図である。
【図１２Ａ】図１１Ａの情報表示部のシンボルロゴの構成例を示す斜視図である。
【図１２Ｂ】図１１Ａの情報表示部のシンボルロゴの構成例を示す断面図である。
【図１３Ａ】図１１Ａの情報表示部のシンボルマークの構成例を示す斜視図である。
【図１３Ｂ】図１１Ａの情報表示部のシンボルマークの構成例を示す断面図である。
【発明を実施するための形態】
【００３１】
以下、図面に基づいて本発明の実施形態を詳述する。ただし、以下に示す実施形態は、本発明の思想を具体化するための夜光性装飾物を例示するものであって、本発明は以下に説明する構成に特定するものではない。特に実施形態に記載されている構成部材の材質、形状、その相対的配置等は特定的な記載がない限りは本発明の範囲をそれのみに限定する趣旨ではなく説明例に過ぎない。また、各図面が示す部材の大きさや位置関係等は説明をわかりやすくするために誇張していることがある。
【００３２】
本発明は、表示部に設けられ外部光を有効に利用する夜光性装飾物であって、同一領域内に夜光性部材と装飾部材とが配置され、同一領域内に光透過率の異なる領域を有することによって、暗所では発光の明暗差によるグラデーション模様、文字、絵柄などを描くことができる。また明所では、所望の金属感や所望の色彩を有する視認性及び装飾性を付与することができる。これにより、趣のある視認性及び装飾性を付与し、また、夜光性部材に特有の白緑色系の色味を目立たなくした夜光性装飾物を提供するものである。
【００３３】
このような夜光性装飾物を実現するために、同一領域内の光透過率を変化させる方法として大別すると３つの方法がある。１つ目は、夜光性部材上に金属膜からなる装飾部材を形成し、金属膜に帯状又はドット状の開口部を設けて開口部の幅や大きさ又は配置密度等を変える方法である。２つ目は、夜光性部材上に金属膜又は着色粒子を含有した樹脂からなる装飾部材を形成し、金属膜又は樹脂の厚みを変えることにより光透過率を変える方法である。３つ目は、夜光性部材上に形成した樹脂からなる帯状又はドット状の着色層において含有する着色粒子の含有量（密度）を変える方法である。
【００３４】
以下、図面を用いて夜光性装飾物を詳述する。まず１つ目の金属膜に開口部を形成する方法を第１〜第５の実施形態を用いて説明する。次に、２つ目と３つ目の着色層を形成して着色層の厚み又は着色粒子の含有量（密度）を変える方法を第６〜第８の実施形態（変形例を含む）を用いて説明する。次に、組合せによる方法を第９及び第１０の実施形態を用いて説明する。説明にあっては、同一要素には同一番号を付し、重複する説明は省略するものとする。また、発明に関係のない部分は省略している。
【００３５】
まず、図１Ａ、図１Ｂを用いて第１の実施形態を説明する。次に図２Ａ、図２Ｂを用いて第２の実施形態を、図３Ａ、図３Ｂを用いて第３の実施形態を、図４Ａ、図４Ｂ、図４Ｃを用いて第４の実施形態（変形例を含む）を、図５Ａ、図５Ｂを用いて第５の実施形態をそれぞれ説明する。次に、図６Ａ〜図６Ｄを用いて第１の実施形態の製造工程をそれぞれ説明し、次に、図７Ａ〜図７Ｃを用いて第１の実施形態における他の構成例（３例）を説明する。次に、図８Ａ〜図８Ｃを用いて第６及び第７の実施形態（変形例を含む）を説明し、図９Ａ、図９Ｂを用いて帯状又はドット状の明暗差による表示例を説明する。また、図１０〜図１３Ｂを用いて本発明の指針式腕時計への応用例を説明する。
【００３６】
［第１の実施形態の説明：図１Ａ、図１Ｂ］
まず、図１Ａ、図１Ｂを用いて本発明の第１の実施形態の夜光性装飾物１５０を説明する。図１Ａは夜光性装飾物１５０の平面図を示し、図１Ｂはその要部のＡ−Ａ’断面を示す。
【００３７】
第１の実施形態の特徴は、夜光性装飾物１５０を視認側から見て、装飾部材２に形成された開口パターンにより夜光性部材３と装飾部材２とが同一領域内に混在して配置され、
開口部１の開口幅ｔと装飾部材２の幅ｗとをそれぞれ変化させて夜光性部材３と装飾部材２との混在する比率を変えて同一領域内に光透過率が異なる領域を有することにより、開口部の発光に明暗差を設けてグラデーション模様を描けるようにした点である。
【００３８】
［構成の説明］
図１Ａ、図１Ｂにおいて、夜光性装飾物１５０は、矩形状の夜光性部材３の上面（視認側）に開口パターンを有し、金属膜又は着色粒子を含有した樹脂などで形成した装飾部材２が所定の厚みで積層形成されている。装飾部材２は夜光性部材３と同様の外形形状を有し、開口パターンは複数の帯状の開口部１を備えており、開口部１は、両端側が最も狭い開口幅ｔであり、両端側から中央部に向かって少しずつ広くなり中央部が最も広い開口幅ｔ’となっている。同様に、装飾部材２の幅ｗ（開口部間の距離）はｗ〜ｗ’と適宜変化している。このような開口パターンとすることによって、夜光性装飾物１５０は、各開口部１が全体として発光部９を形成している。また、発光部９の外形形状と大きさは夜光性装飾物１５０と略同じである。
【００３９】
次に、図１Ｂにおいて、夜光性部材３は、例えばＺｎＳ系、ＳｒＡｌ２Ｏ４系の蓄光粒子を含有したセラミック又はプラスチック等からなる蓄光材料を所定の厚みの板状にして用いている。尚、後述するように蓄光粒子を樹脂バインダに含有させた塗料を用いて、基材となる金属やセラミックなどに塗布又は充填して乾燥させて蓄光層を形成するようにしてもよい（図１２Ｂ参照）。尚、基材を用いる構成例については後述する（図２Ｂ参照）。
【００４０】
上記は、夜光性部材３の一例であり、用途に応じて必要な発光色の夜光性部材３を適宜選択することが可能である。そして、１つの夜光性装飾部材１５０中で複数の発光色の夜光性部材３を配置して多色発光をさせることも可能である。
【００４１】
夜光性部材３に積層形成される装飾部材２は、夜光性部材３の表面に例えば金、プラチナ、クロム、アルミニウムなどを真空蒸着やスパッタリングなどの方法によって成膜し、フォトリソ法を用いて所定の開口パターン及び所定の厚みに形成することができる。装飾部材２を着色粒子を含有した樹脂で形成する場合は、スクリーン印刷やインクジェットプリンタなどで着色粒子を含有した樹脂を塗布し、所定の開口パターン及び所定の厚みに形成する。尚、装飾部材２の厚みは誇張して描かれているが、実際の厚みは、特に限定はしないが、例えば０．１μｍ〜数１０μｍ程度とし、視認したときの金属感等を考慮して適宜決定するとよい。また、同様の開口パターンを有する薄い金属製の装飾部材２を別に形成し、透明接着剤又は蓄光粒子を含有する透明接着剤（以下、「夜光性接着剤」と記載する）を用いて夜光性部材３に接合する方法でもよい。
【００４２】
また、薄い板状の透明部材の表面に真空蒸着やスパッタリングなどの方法によって所定の開口パターンにより所定の厚みの金属膜層を形成したものを、夜光性部材３の表面に透明接着剤又は夜光性接着剤を用いて接着する方法でもよい。このように透明部材を用いる構成では、透明部材側を夜光性部材３に接着する方法と、装飾部材２側を夜光性部材３に接着する方法とがあり用途によって適宜選択することができる。このような構成とすることで、透明部材の表面平滑性を活かした鏡面状の光沢を有する装飾部材２を容易にパターン形成することができる。尚、透明部材を用いた夜光性装飾物の具体例については後述する（図１２Ｂ参照）。
【００４３】
また、図１Ｂに示すように、夜光性装飾物１５０は、夜光性部材３の側面を露出する構造とすることで、暗所では夜光性装飾物１５０の側面からの漏光により輪郭を強調するような発光模様を得ることが可能である。一方、装飾部材２の膜層の一部を用いて夜光性部材３の側面を覆うようにして夜光性装飾物１５０の視認面側の発光表示のみを用いる構造
としてもよい。これらは目的に応じて選択することができる。尚、側面を覆う構造の具体例については後述する（図１２Ｂ参照）。
【００４４】
［明所における視認性及び装飾性の説明］
ここで、明所における夜光性装飾物１５０の視認性及び装飾性について説明する。夜光性装飾物１５０のような構成において、装飾部材２に形成された開口パターンにおける開口部が視認できてしまうと、金属感が薄れるとともに夜光性部材３に特有の白緑色系の色味が見えてしまうという問題が生じる。
【００４５】
装飾部材２に設けられた開口部１の開口幅ｔは小さいほど開口パターンを視認し難く、大きいほど開口パターンを視認しやすい。このことは、人間の目の視認能力に関係し、視力とピント調節能力が関係していることが知られている。例えば視力が１．５（一般的によい視力とされる）で、近点が０．０８ｍの人間が明所で視認できない開口幅ｔは、約１５．５μｍ未満であることがわかっている。ここで、近点とはピントの調節能力を示し、年齢によって変化する値であり１０歳ぐらいがピーク（調節能力が高い）と言われ、その年齢のピント調節可能な最短距離が０．０８ｍである。このようなデータに基づき、夜光性装飾物に設ける開口パターンの開口幅を約１５．５μｍ未満とすることが望ましい。また、装飾部材２の幅ｗ（開口部間の距離）は金属感に影響を与えることがわかっており、ｗが大きいほど金属感が増す。これらの特性を活用することによって、開口パターンを視認し難く、金属感がある視認性及び装飾性を得られる。また、同時に夜光性部材に特有の白緑色系の色味を目立たなくすることができる。
【００４６】
［暗所における視認性及び装飾性の説明］
次に、暗所における夜光性装飾物１５０の発光の視認性及び装飾性について説明する。夜光性装飾物１５０のような構成において、夜光性部材３の発光の明るさは装飾部材２に形成される開口パターンの開口幅によって影響を受ける。
【００４７】
暗所では、夜光性部材３の発光が視認できる開口幅ｔは、実験により約３μｍ以上であることがわかっている。また開口幅ｔは、約３μｍ以上の範囲において、狭いほど暗く発光し広いほど明るく発光することがわかっている。また、装飾部材２の幅ｗ（開口部間の距離）も発光の明るさに関係しており、ｗが大きいほど暗く発光し、ｗが小さいほど明るく発光する。これらの特性を活用して、同一領域内に光透過率が異なる領域を形成することにより、発光の明暗差を形成して模様を描くなどの趣のある視認性及び装飾性を得られる。
【００４８】
以上に説明した明所、暗所における特性において、装飾部材２の開口幅ｔを約３μｍ〜１５．５μｍの範囲に設定し、装飾部材幅ｗを適宜調整することにより、明所では、一般的に視力やピント調節能力がよいとされる人間でも開口幅ｔ及びｔ’を視認し難く金属感のある視認性及び装飾性を得られる。また暗所では、異なる開口幅ｔ及びｔ’によって作り出される発光の明暗差によりグラデーション模様や文字などを描けるなど趣のある視認性及び装飾性を得られる。
【００４９】
尚、好ましくは開口幅ｔ〜ｔ’と装飾部材幅ｗ〜ｗ’については、所望の開口パターンについて試作実験を行い、暗所における発光の視認性及び装飾性、及び、明所における開口パターンの視認性と装飾性（金属感）を確認して、適宜調整することが望ましい。このことは、以下に説明する他の実施形態、変形例についても同様である。尚、開口幅ｔの範囲を、約３μｍ〜１５．５μｍと説明したが、これに限定されず３μｍ〜１５．５μｍを目安として設定することでよい。
【００５０】
［動作の説明］
明所では装飾部材２の上面側から入射した外部光は、装飾部材２に設けられた、夜光性部材３が露出するそれぞれの開口部１（開口幅がｔ〜ｔ’）に入射して吸収される。そして、外部光の光エネルギーを吸収した夜光性部材３は励起状態となる。そして、外部光が遮断された暗所おいて、夜光性部材３は励起状態から基底状態に戻る過程でゆっくり発光する。このような夜光性装飾物１５０は、開口幅ｔを約３μｍ〜１５．５μｍに設定することにより、同一領域内に光透過率が異なる領域を有するので暗所では狭い開口幅ｔの開口部１では暗く発光し、広い開口幅ｔ’の開口部１では明るく発光し、中央部が明るく両端側が暗く発光する縦縞状のグラデーション模様を表示する。
【００５１】
［効果の説明］
上記に説明した第１の実施形態の夜光性装飾物１５０は、腕時計、携帯電子機器、各種計器類等に適用できる。例えば腕時計の表示部を例にすれば、文字板、時字、指針、シンボルロゴ、シンボルマーク等に適用することができる。夜光性装飾物１５０は、装飾部材２と夜光性部材３とが同一領域内に混在して配置され、帯状の開口部１によって混在する比率を変えることができるので、暗所では狭い開口部１は暗く発光し、広い開口部１は明るく発光することができる。これにより明暗差を用いてグラデーション模様等を描くことができる。また明所では、装飾部材２に形成された開口パターンは視認し難いので四角い金属感のある装飾物として認識され、夜光性部材に特有の白緑色系の色味を目立たなくすることができる。この結果、明所では夜光性部材３特有の白緑色系の色味が目立たず、金属感のある装飾物として認識され、暗所では装飾部材２と開口部１との混在する比率を変えることによって夜光性部材３の発光の明暗差を作り出し、趣のある視認性及び装飾性を付与した夜光性装飾物１５０を提供することができる。
【００５２】
尚、夜光性装飾物１５０の開口パターンは、中央部が明るいグラデーション模様として説明したがこれに限定されず、両端側を明るくしたグラデーション模様でもよく、あるいは自由に変化するグラデーション模様でもよい。また開口パターンは、帯状の開口部で説明したがこれに限定されず、例えばリング状の開口部１を用いて円形状のグラデーション模様でもよい。また、夜光性装飾物１５０の外形形状は矩形状で説明したがこれに限定されず、三角形、多角形、円形等でもよい。また、装飾部材２の厚さを制御することで同一領域内の光透過量を変化させて明暗差を制御してもよい。
【００５３】
また、夜光性装飾物１５０は、腕時計の表示部を例として文字板、時字、指針、シンボルロゴ、シンボルマーク等に適用できるとしたがこれに限定されず、見切り部材、外装ケース、ベゼル等にも適用することができる。また、夜光性装飾物１５０の外形形状と発光部９の形状とを略同じ大きさにする例を説明したがこれに限定されず、目的に応じて異なる大きさとしてもよい。
【００５４】
ここで、特に限定はしないが、装飾部材２に用いる主な金属材料をあげておく。例えば金、銀、プラチナ、クロム、アルミニウムである。また、特に限定はしないが、夜光性部材３に用いる材料をあげておく。例えばＺｎＳ系、ＳｒＡｌ２Ｏ４系の顔料であり発光色も特に限定はしないが、青緑色系、黄緑色系、黄色系、橙色系などである。
【００５５】
［第２の実施形態の説明：図２Ａ、図２Ｂ］
次に、図２Ａ、図２Ｂを用いて第２の実施形態である夜光性装飾物１５５を説明する。図２Ａは夜光性装飾物１５５の平面図を示し、図２Ｂはその要部のＢ−Ｂ’断面を示す。
【００５６】
第２の実施形態の夜光性装飾物１５５の特徴は、基材４に装飾部材２とは異なる外形形状の夜光性部材３を、充填部材６とともに積層配置することにより、自由な形状にグラデーション模様を描けるようにした点である。夜光性装飾物１５５の他の基本的な構成は、夜光性装飾物１５０と同様であるので、同一要素には同一符号を付し、重複する説明は省
略する。
【００５７】
図２Ａ、図２Ｂにおいて、夜光性装飾物１５５は、前述の夜光性装飾物１５０と同様の装飾部材２が視認側に形成されている。また、装飾部材２と基材４に挟持された空間には夜光性部材３が、例えばスクリーン印刷法によって、ドーナッツ形状を例として所定の厚みに形成されている。例えば夜光性部材３が暗所で十分明るく発光するために、２００μｍ〜３００μｍ程度の厚みで形成するとよい。また、装飾部材２と基材４とに挟持された夜光性部材３の周囲の空間（中心部を含む）は、夜光性部材３と同系色の顔料等を含有する樹脂又は塗料からなる充填部材６によって充填されている。これは、夜光性部材２に特有の白緑色系の色味に対して同系色の充填部材６を周囲に配置することによって夜光性部材２の色味をより目立たなくするためである。ここで特に限定はしないが、充填部材６に用いる材料をあげておく。例えばエポキシ樹脂、ウレタン樹脂、アクリル樹脂等である。
【００５８】
装飾部材２の各開口部１に露出する夜光性部材３は、ドーナッツ形状の発光部９を形成し、開口幅ｔ〜ｔ’は夜光性装飾物１５５の中心から左右に向かって狭まってくように約３μｍ〜１５．５μｍに設定されている。これにより発光部９は暗所ではドーナッツ形状に発光するとともに、中央付近の広い開口部１では明るく発光し、両端付近の狭い開口部１では暗く発光して明暗差を形成することができる。また、明所では開口パターンを視認し難いので金属感を得られ、夜光性部材３に特有の白緑色系の色味を目立たなくすることができる。
【００５９】
このように、第２の実施形態の夜光性装飾物１５５は、暗所で発光表現する絵柄の形状と異なる形状の帯状の開口部１の開口幅ｔを変化させることにより発光の明暗差を形成するとともに、夜光性装飾物１５５の外形とは異なる形状に夜光性部材３を形成しておくことで発光形状を任意の形状とすることができる。これにより、暗所では任意の形状にグラデーション発光させた模様を描いて趣のある視認性及び装飾性を付与した夜光性装飾物１５５を提供することができる。また明所では、金属感のある視認性及び装飾性を備えるとともに夜光性部材３に特有の白緑色系の色味を目立たなくした夜光性装飾物１５５を提供することができる。
【００６０】
尚、夜光性装飾物１５５は、夜光性部材３を所定の形状にすることで所望の発光形状を得るとしたが、前述の夜光性装飾物１５０において、装飾部材２の開口パターンを所望の発光形状とすることでも同様の効果を得られる。また、夜光性装飾物１５５に設けた発光部９は、ドーナッツ形状に発光する例を説明したが、これに限定されず文字、記号、他のどのような形状でもよい。また、夜光性装飾物１５５の外形形状は矩形状で説明したがこれに限定されず、多角形、円形等でもよい。ここで特に限定はしないが、基材４に用いる材料をあげておく。例えばステンレスなどの金属、セラミック、樹脂、ガラス等である。
【００６１】
［第３の実施形態の説明：図３Ａ、図３Ｂ］
次に、図３Ａ、図３Ｂを用いて第３の実施形態である夜光性装飾物１６０を説明する。図３Ａは夜光性装飾物１６０の平面図を示し、図３Ｂはその要部のＣ−Ｃ’断面を示す。
【００６２】
第３の実施形態の夜光性装飾物１６０の特徴は、同一の開口部内でその幅が異なっている点である。すなわち、装飾部材２に形成された開口パターンにおいて、帯状の狭い開口部１を略規則的に配列し、同一の開口部１に狭い開口幅ｔ１と広い開口幅ｔ２とを設けることで、同一領域内に光透過率が異なる領域を有するので、発光の明暗差による文字、記号、形状等を描いている。夜光性装飾物１６０の他の基本的な構成は、夜光性装飾物１５５と同様であるので、同一要素には同一符号を付し、重複する説明は省略する。
【００６３】
図３Ａ、図３Ｂにおいて、夜光性装飾物１６０に装飾部材２が視認側に形成されている
。装飾部材２には開口パターンが形成されており、複数の帯状の開口部１が狭い開口幅ｔ１で略等間隔に整列している。また、装飾部材２と基材４に挟持された空間には夜光性部材３が板状に所定の厚みに形成されている。一部の開口部１には部分的に広い開口幅ｔ２が形成されており全体として発光部９を形成している。ここで、狭い開口部１の開口幅ｔ１及び広い開口部１の開口幅ｔ２は、ともに約３μｍ〜１５．５μｍに設定されている。尚、本実施形態では数字の「４」を発光表示する例として示している。
【００６４】
このように、夜光性装飾物１６０は、各帯状の狭い開口部に、部分的に広い開口部を設けることによって、暗所では狭い開口部ｔ１では暗く発光し、広い開口部ｔ２では明るく発光するので、発光部９に明暗差を形成することができる。また明所では、装飾部材２に形成された開口パターンは視認し難いので金属感を得られ、夜光性部材に特有の白緑色系の色味を目立たなくすることができる。これにより、暗所では文字、記号、形状等を描くことができるので明所とは異なる趣のある視認性及び装飾性を付与した夜光性装飾物を提供することができる。また明所では、金属感のある視認性及び装飾性を備えるとともに、夜光性部材に特有の白緑色系の色味を目立たなくした夜光性装飾物を提供することができる。
【００６５】
尚、夜光性装飾物１６０は、数字の「４」に発光する例を説明したが、これに限定されず他の文字、記号、他の自由な形状でもよい。また、夜光性装飾物１６０の外形形状は矩形状で説明したがこれに限定されず、多角形、円形等でもよい。また、装飾部材２の開口パターンにおいて、文字等を形成する広い開口部に対して狭い開口部を規則的に混在させることによって開口パターンを平均化できるので、明所では開口パターンをより視認し難くする上で効果的である。また、狭い開口幅ｔ１を約３μｍより小さくすることにより、明暗差をさらに大きくして文字等を際立たせることができる。これらの効果は、以下に説明する他の実施形態においても同様に得ることができる。
【００６６】
［第４の実施形態の説明：図４Ａ、図４Ｂ］
次に、図４Ａ、図４Ｂを用いて第４の実施形態である夜光性装飾物１６５を説明する。図４Ａは夜光性装飾物１６５の平面図を示し、図４Ｂはその要部のＤ−Ｄ’断面を示す。
【００６７】
第４の実施形態の夜光性装飾物１６５の特徴は、装飾部材２に形成された開口パターンにおいて、狭い幅のドット状の角孔を略規則的に配列し、部分的に広い幅のドット状の角孔を配置することで同一領域内に光透過率が異なる領域を有するので、発光の明暗差による文字、記号等を描いた点である。夜光性装飾物１６５の他の基本的な構成は、夜光性装飾物１６０と同様であるので、同一要素には同一符号を付し、重複する説明は省略する。
【００６８】
図４Ａ、図４Ｂにおいて、夜光性装飾物１６５には装飾部材２が視認側に形成されている。装飾部材２には開口パターンが形成されており、複数のドット状の角孔が開口部１として配置されている。狭い開口幅（ｔ１×ｔ１）の開口部１は、横方向に装飾部材幅ｗ１及び縦方向に装飾部材幅ｗ２で略等間隔に整列している。また、広い開口幅（ｔ２×ｔ２）の開口部１は、横方向に装飾部材幅ｗ３及び縦方向に装飾部材幅ｗ４で配置されている。これらの狭い開口部１と広い開口部１は、全体として発光部９を形成している。ここで、狭い開口部１の開口幅ｔ１及び広い開口部１の開口幅ｔ２は、ともに約３μｍ〜１５．５μｍに設定されている。尚、本実施形態では数字の「４」を発光表示する例として示している。
【００６９】
このように、夜光性装飾物１６５の開口パターンは、前述した夜光性装飾物１６０と比較して帯状とドット状の違いはあるものの、暗所で発光表現する絵柄の形状に対して、開口部１の幅を変えることによって発光部９に明暗差を形成することができる。これにより
、夜光性装飾物１６５は、暗所では狭い開口幅ｔ１の角孔では暗く発光し、広い開口幅ｔ２の角孔では明るく発光するので明暗差を用いて文字、記号、形状等の複雑な絵柄を描くことができる。尚、開口部１を角孔として説明したが、異形の角孔、丸孔等他のどのような形状の開口でもよい。
【００７０】
また、帯状の開口部１よりもドット状の開口部１のほうが開口部１を小さくすることができ、明所で目視によって開口部１を認識し難い大きさに留めておくことができる。また帯状の開口部１で構成した場合よりも、明所で、より金属感のある装飾物として認識され、暗所では、開口部１の幅によって夜光性部材３の発光に明暗差を作り出すことで様々な絵柄を表現することができる。
【００７１】
図４Ａ及び図４Ｂを用いて説明した第４の実施形態を実施することにより、暗所でドット絵状の発光絵柄を表現することができ、さらに多彩な発光表現が可能となる。
【００７２】
［第４の実施形態の変形例の説明：図４Ｃ］
図４Ｃを用いて第４の実施形態の変形例の一例である夜光性装飾物１６６を説明する。図４Ｃは夜光性装飾物１６６の平面図を示している。
【００７３】
第４の実施形態の変形例である夜光性装飾物１６６の特徴は、装飾部材２に形成された開口パターンにおいて、複数の異なる幅の角孔を略規則的に配列して同一領域内に光透過率が異なる領域を形成して、暗所での発光の明暗差に階調を付与することよって立体的な球体図形を描いた点である。図４Ｃに示す黒い領域が装飾部材２を示し、白い領域が開口部１を示している。夜光性装飾物１６６の他の基本的な構成は、夜光性装飾物１６５と同様であるので、同一要素には同一符号を付し、重複する説明は省略する。
【００７４】
図４Ｃにおいて、夜光性装飾物１６６には装飾部材２が視認側に形成されている。装飾部材２には開口パターンが形成されており、複数の異なる幅のドット状の角孔が開口部１として配置されている。複数の異なる幅の開口部１について便宜的に、一番大きい角孔を開口部Ａ、二番目に大きい角孔を開口部Ｂ、三番目に大きい角孔を開口部Ｃ、一番小さい角孔を開口部Ｄとする。
【００７５】
開口部１を縦に４個、横に４個配置した計１６個をドット絵の１個のドット（画素）１ａとして構成し、立体的な球体を表現するように開口部Ａから開口部Ｄを配置している。具体的には、球体が一番明るくなるハイライト部分に開口部Ａを配置し、開口部Ａの周辺に開口部Ｂを配置し、開口部Ｂの周囲に開口部Ｃを配置し、球体の一番暗くなる部分に開口部Ｄを配置するようにして立体的な球体を表現している。さらに開口部１を設けない領域を球体の輪郭部分に設け、その外側に開口部Ａを配置することで球体の輪郭を明確にしている。
【００７６】
このように、夜光性装飾物１６６の暗所での発光をドット絵柄として表現する際に、ドット（画素）１ａを複数の開口部１によって構成し、開口部１を複数の異なる幅で構成することによって多階調表示が可能となり、第４の実施形態よりもさらに多彩な絵柄の表現が可能となる。複数の開口部１によってドット（画素）１ａを構成することで、目視で開口部１を認識し難い大きさに止めておくことができ、ドット（画素）１ａを１つの開口部１で構成した場合よりも、明所で、より金属感のある装飾物として認識され、暗所では、開口部１の幅によって夜光性部材３の発光に明暗差を作り出すことで様々な絵柄を表現することができる。図４Ｃに示す球体の例は、あくまでも一例であり、絵柄については文字、図形など様々な表現に適用することが可能である。
【００７７】
夜光性装飾物１６６の開口パターンは、第４の実施形態で説明した夜光性装飾物１６５
と比較して夜光性装飾物１６６の暗所での発光をドット絵として表現する際に、ドット（画素）１ａを複数の開口部１によって構成し、開口部１の幅を４種類とさらに増やすことで多階調表示を可能とした点が異なっているが、開口部１の形状は、第４の実施形態と同様に、異形の角孔、丸孔等他のどのような形状の開口でもよい。
【００７８】
また、上記では、ドット（画素）１ａを同一幅の開口部１を４×４に配置した例について説明したが、ドット（画素）１ａ内の開口部１の幅が異なっていてもよく、ドット（画素）１ａ内の開口部１の数も表現したい絵柄の大きさやドット（画素）１ａの数によって適宜設定することが可能である。
【００７９】
［第５の実施形態の説明：図５Ａ、図５Ｂ］
次に、図５Ａ、図５Ｂを用いて第５の実施形態の夜光性装飾物１７０を説明する。図５Ａは夜光性装飾物１７０の平面図を示し、図５Ｂはその要部のＥ−Ｅ’断面を示す。
【００８０】
第５の実施形態の夜光性装飾物１７０の特徴は、装飾部材２に形成された開口パターンにおいて、狭いドット状の角孔の開口部１を規則的に配列し、部分的に狭いドット状の角孔の配置密度を変えることで同一領域内に光透過率が異なる領域を有するので、発光の明暗差を形成して、文字、記号等を描いた点である。夜光性装飾物１７０の他の基本的な構成は、夜光性装飾物１６５と同様であるので、同一要素には同一符号を付し、重複する説明は省略する。
【００８１】
図５Ａ、図５Ｂにおいて、夜光性装飾物１７０は装飾部材２が視認側に形成されている。装飾部材２には開口パターンが形成されており、複数の角孔状の開口部１が規則的に配列されている。開口部１は開口幅（ｔ１×ｔ１）で形成されていて、横方向に装飾部材幅ｗ１及び縦方向に装飾部材幅ｗ２で略等間隔に整列している。一方、部分的に開口部１は横方向に狭いピッチの装飾部材幅ｗ３及び縦方向に狭いピッチの装飾部材幅ｗ４で略等間隔に配置されている。これらのｗ１、ｗ２で整列した開口部１とｗ３、ｗ４で整列した開口部１によって発光部９を形成している。ここで、開口部１の開口幅（ｔ１×ｔ１）は約３μｍ〜１５．５μｍに設定されている。尚、本実施形態では数字の「４」を発光表示する例として示している。
【００８２】
このように、夜光性装飾物１７０は、ドット状の開口部１の配置密度を変えることによって、暗所では開口部のピッチが粗い部分では暗く発光し、ピッチが密の部分では明るく発光して発光部９に明暗差を形成することができる。また明所では、装飾部材２に形成された開口パターンは視認し難いので金属感を得られる。これにより、夜光性装飾物１７０は、暗所では文字、記号、形状等の発光絵柄を認識することができるので明所とは異なる趣のある視認性及び装飾性を付与した夜光性装飾物１７０を提供することができる。また明所では、金属感のある視認性及び装飾性を備えるとともに夜光性部材３に特有の白緑色系の色味を目立たなくした夜光性装飾物１７０を提供することができる。尚、開口部１を角孔として説明したが、丸孔等他のどのような形状の開口でもよい。
【００８３】
［第１の実施形態の製造工程の説明：図６Ａ〜図６Ｄ］
次に、本発明の夜光性装飾物の製造方法について簡単に説明する。図６Ａ〜図６Ｄは、夜光性装飾物の製造工程Ｓ１〜Ｓ４を示す断面図である。
【００８４】
まず、図６Ａに示す製造工程Ｓ１において、板状の夜光性部材３の表面に例えば、金、プラチナ、クロム、アルミニウムなどを真空蒸着やスパッタリングなどの方法によって、所定の厚みに装飾部材２を形成する。次に、図６Ｂに示す製造工程Ｓ２において、装飾部材２の表面に所定の開口パターンを形成するためのレジスト１１を形成する。次に、図６Ｃに示す製造工程Ｓ３において、レジスト１１が形成されていない領域を湿式又は乾式で
エッチングすることで装飾部材２に開口パターンを形成する。次に、図６Ｄに示す製造工程Ｓ４において、レジスト１１を除去する。
【００８５】
これにより、所定の開口部の幅を有し所定の開口パターンを有する装飾部材２が夜光性部材３の表面に形成されて夜光性装飾物１５０が完成する。尚、前述した夜光性部材３を基材４に積層する構成（夜光性装飾物１５５、１６０、１６５、１７０参照）においても、主要な工程は同様であり同様の製造方法を用いることができる。
【００８６】
［第１の実施形態における他の構成例の説明：図７Ａ、図７Ｂ、図７Ｃ］
次に、基本形である第１の実施形態に対して他の３つの構成例について簡単に説明する。図７Ａは、夜光性装飾物１８０の断面図を示し、図７Ｂは、夜光性装飾物１８５の断面図を示し、図７Ｃは、夜光性装飾物１９０の断面図を示す。尚、３つの構成例は夜光性部材３と装飾部材２の混在する比率は前述の夜光性装飾物１５０と同様になっている。
【００８７】
［夜光性装飾物１８０の説明：図７Ａ］
夜光性装飾物１８０の特徴は、基材４に夜光性部材３を配置するための凹部１２を設け、凹部１２に夜光性部材３を充填形成し、基材４上に所定の開口パターンを有する装飾部材２を積層形成した点である。夜光性装飾物１８０の他の基本的な構成は、第１から第５の実施形態で説明した夜光性装飾物と同様であるので、同一要素には同一符号を付し、重複する説明は省略する。
【００８８】
図７Ａにおいて、夜光性装飾物１８０は、基材４に凹部１２が所定の間隔及び所定の深さで複数形成されていて、凹部１２には夜光性部材３が充填形成されている。また、基材４及び夜光性部材３の上面には装飾部材２が所定の厚みで積層形成され所定の開口パターンが形成されている。開口パターンは開口部１の幅ｔ〜ｔ’、装飾部材２の幅ｗ〜ｗ’であり、基材４に充填形成された夜光性部材３のピッチと装飾部材２に形成された開口部１のピッチは略同一になっている。このように夜光性装飾物１８０は、基材４の一部の領域に夜光性部材３を形成する構造であるので夜光性部材３の使用量を減らすことができ経済的である。他の基本的な動作及び効果は第１から第５の実施形態で説明した夜光性装飾物と同様であるので重複する説明は省略する。尚、装飾部材２の１つの開口部に対して１つの凹部１２を形成するとしたが、それに限定されず、装飾部材２の複数の開口部にまたがって凹部１２を設ける構成としてもよい。
【００８９】
［夜光性装飾物１８５の説明：図７Ｂ］
夜光性装飾物１８５の特徴は、装飾部材２に夜光性部材３を配置するための凹部１２を設けるとともに、所定の開口パターンを形成し、凹部１２に夜光性部材３を充填形成した点である。夜光性装飾物１８５の他の基本的な構成は、第１から第５の実施形態で説明した夜光性装飾物と同様であるので、同一要素には同一符号を付し、重複する説明は省略する。
【００９０】
図７Ｂにおいて、夜光性装飾物１８５は、装飾部材２の上面（視認面側）に複数の凹部１２（開口部１）が所定の間隔及び所定の深さで複数形成されることで開口パターンが形成されている。凹部１２には夜光性部材３が充填形成されている。また、各凹部１２は開口幅がｔ〜ｔ’、装飾部材幅がｗ〜ｗ’になっている。これにより夜光性装飾物１８５は、装飾部材２に凹部１２を設けて、直接夜光性部材３を充填形成する構造になっている。このような構造により発光部の製造が容易である。他の基本的な動作及び効果は第１から第５の実施形態で説明した夜光性装飾物と同様であるので重複する説明は省略する。
【００９１】
［夜光性装飾物１９０の説明：図７Ｃ］
夜光性装飾物１９０の特徴は、基材４上に装飾部材２による凸部を形成するとともに夜
光性部材３を配置するための凹部１２を形成し、凹部１２に夜光性部材３を充填形成した点である。夜光性装飾物１９０の他の基本的な構成は、第１から第５の実施形態で説明した夜光性装飾物と同様であるので、同一要素には同一符号を付し、重複する説明は省略する。
【００９２】
図７Ｃにおいて、基材４の上面には凸状に装飾部材２が所定の高さ及び所定の間隔でパターン形成されている。各装飾部材２の間に形成された凹部１２は、開口幅ｔ〜ｔ’、装飾部材２の幅ｗ〜ｗ’であり、夜光性部材３が充填形成されている。このように夜光性装飾物１９０は、基材４の上面に直接、装飾部材２を設ける構造であるので剛性と装飾性を両立することができる。他の基本的な動作及び効果は第１から第５の実施形態で説明した夜光性装飾物と同様であるので重複する説明は省略する。
【００９３】
［第６の実施形態（装飾部材の厚みを変える例）の説明：図８Ａ］
次に、図８Ａを用いて第６の実施形態の夜光性装飾物２００を説明する。図８Ａは、夜光性装飾物２００の断面図を示す。尚、平面図は省略し、以下に説明する夜光性装飾物２０５〜２１０についても同様に省略する。
【００９４】
第６の実施形態の夜光性装飾物２００の特徴は、夜光性部材３の表面に、金属膜又は樹脂中に着色粒子を含有した着色層で形成した装飾部材２を設け、同一領域内で装飾部材２の厚みを変えることにより光透過率が異なる領域を備えた点である。
【００９５】
［構成の説明］
図８Ａにおいて、夜光性装飾物２００は、夜光性部材３の上面（視認側）に例えば着色粒子を含有したエポキシ樹脂やアクリル樹脂などで装飾部材２が形成されている。装飾部材２の上面側は図１Ａにて説明した夜光性装飾物１５０と同様の矩形状の平面を有している。また、装飾部材２の下面側は内部に階段状の凹部を有しており段毎に装飾部材２の厚みが変化している。また、階段状の装飾部材２は、図面手前側から奥行き方向に向かって帯状に形成されている。階段状の装飾部材２の各部の厚みはそれぞれ所定の厚みになっているが、樹脂中には、例えば金属粒子のアルミや顔料の二酸化チタン等の着色粒子が均一に分散して配合された着色層になっているので、厚い部分は光透過率が低く、薄い部分は光透過率が高くなっている。また、凹部には空間を充填するように透明部材５が形成されていてもよい。上記説明では、装飾部材２として、樹脂中に着色粒子を含有した着色層を例として説明したが、金属膜の厚みを異ならせることでも同様に光透過率が異なる領域を形成することができる。
装飾部材２として着色粒子を含有したエポキシ樹脂やアクリル樹脂を用いる場合は、厚みを０．１μｍ〜数１０μｍ程度とし、装飾部材２として金属膜を用いる場合は、厚みを１０ｎｍ〜数１００ｎｍ程度として所定の厚みを選択する。
【００９６】
［動作の説明］
夜光性装飾物２００において、明所で外部光が装飾部材２を透過して蓄光された夜光性部材３は励起状態となり、暗所で外部光が遮断されると基底状態に戻る過程でゆっくり発光する。夜光性部材３の発光は装飾部材２の下面側から装飾部材２を透過するものと着色粒子に衝突して散乱するものとがある。装飾部材２において着色粒子との衝突回数が多い厚い部分は光透過率が低いので暗く発光し、衝突回数が少ない薄い部分は光透過率が高いので明るく発光する。これにより、暗所では装飾部材２の上面側から視認すると帯状に中央部が明るく両端側に向けて徐々に暗くなるような明暗差を作りだすことができる（後述する図９Ａ参照）。また、所定の着色粒子を配合した樹脂を用いることで、明所では文字、形状、絵柄などに所望の金属感や色彩を有することができる。例えば、金属粒子のアルミ粒子を用いれば銀色の金属感が得られ、顔料の二酸化チタンを用いれば白色が得られる。また、着色粒子の大きさを変えることによって風合いを変えてもよい。
【００９７】
［効果の説明］
夜光性装飾物２００は、外部光を有効に利用する夜光性装飾物であって、暗所では同一領域内に帯状やドット状に夜光性部材の発光の明るい領域と暗い領域とを形成することができる。これにより、発光の明暗差によるグラデーション模様、文字、絵柄などを描くことができるので趣のある視認性及び装飾性を付与した夜光性装飾物を提供することができる。また、明所では所望の金属感や色彩を有する文字、形状、絵柄などを描くことができるとともに、夜光性部材に特有の白緑色系の色味を目立たなくした夜光性装飾物を提供することができる。また透明部材５は導光板として作用するので、明所では外部光を効率良く受光し、暗所では夜光性部材を効率良く発光させることができる。
【００９８】
尚、装飾部材２は、階段状に形成された夜光性部材３の上面に、樹脂層を例えばスクリーン印刷法やタンポ印刷法を用いて所定回数印刷することで形成することができる。尚、本例では装飾部材２は中央部が薄く両端部に向けて階段状に厚く形成されているが、特に限定するものではなく、例えば中央部が厚く両端部が薄い構造としてもよい。また、階段状としたが斜面状に形成してもよい。ここで、装飾部材２に用いる主な樹脂をあげておく。特に限定はしないがエポキシ樹脂、ウレタン樹脂、アクリル樹脂等である。また、装飾部材２に配合する主な着色粒子をあげておく。特に限定はしないが金属粒子を用いる場合は、例えばアルミ、真鍮、硫化亜鉛等である。また、顔料を用いる場合は、カーボンブラック、二酸化チタン、酸化鉄、黄鉛等である。尚、着色粒子に所定の顔料を用いることで、暗所では、発光の明暗差に加えて所望の色彩を得ることができる。
【００９９】
［第６の実施形態における変形例の説明：図８Ｂ］
次に、図８Ｂを用いて第６の実施形態における変形例の夜光性装飾物２０５を説明する。図８Ｂは、夜光性装飾物２０５の断面図を示す。
【０１００】
第６の実施形態における変形例である夜光性装飾物２０５の特徴は、前述した夜光性装飾物２００と同様に、夜光性部材３の表面に、樹脂中に着色粒子を含有した着色層からなる装飾部材２を形成して、同一領域内に光透過率が異なる領域を備えたものであるが、夜光性装飾物２００と異なるのは透明部材５に相当する空間には夜光性部材３が階段状に形成され充填されている点である。夜光性装飾物２０５の他の基本的な構成は、夜光性装飾物２００と同様であるので、同一要素には同一符号を付し、重複する説明は省略する。
【０１０１】
図８Ｂにおいて、夜光性部材２０５は、夜光性部材３の上面（視認側）に樹脂からなる装飾部材２が形成されている。また、装飾部材２の下面側は内部に階段状の凹部を有しており段毎に樹脂層の厚みが変化している。樹脂層の階段状の各部の厚みはそれぞれ所定の厚みになっているが、樹脂中には着色粒子が均一に分散して配合されているので、厚い部分は光透過率が低く、薄い部分は光透過率が高くなっている。また、装飾部材２の下面側の凹部には夜光性部材３が充填形成されているので夜光性部材３は中央付近の発光量を増すことができる。これにより、夜光性装飾物２００と比較して暗所において中央部がより明るく発光するので発光の明暗差を拡大することができる。
【０１０２】
［第７の実施形態（着色粒子の含有量を変える例）の説明：図８Ｃ］
次に、図８Ｃを用いて第７の実施形態の夜光性装飾物２１０を説明する。図８Ｃは、夜光性装飾物２１０の断面図を示す。
【０１０３】
第７の実施形態の夜光性装飾物２１０の特徴は、夜光性部材３の表面に、樹脂中に着色粒子を含有した着色層からなる装飾部材２を形成して、同一領域内に光透過率が異なる領域を備えたものであるが、着色層は均一の厚みで複数の帯状の着色層から形成され、着色層は帯毎に着色粒子の含有量（密度）を変えて光透過率が異なる領域を形成した点である
。夜光性装飾物２１０の他の基本的な構成は、夜光性装飾物２００と同様であるので、同一要素には同一符号を付し、重複する説明は省略する。
【０１０４】
図８Ｃにおいて、夜光性装飾物２１０は、夜光性部材３の上面（視認側）に樹脂からなる複数の帯状の装飾部材２が並列して同じ厚みに形成されている。ここで複数の帯状の装飾部材２の樹脂中の着色粒子はそれぞれ所定の含有率で配合され、例えば、中央部の装飾部材２の含有率が最も低く（低密度）、両端側の装飾部材２に向けて段階的に含有率が高く（高密度）なるように配合されている。これにより、光透過率が中央部から両端側に向けて段階的に低くなり明暗差を作ることができる（後述する図９Ａ参照）。尚、着色粒子が持つ特有の色を用いて各帯状の装飾部材２に所定の着色を行うことで、明所において所望の色彩を有することができる。また、暗所において明暗差に加えて所望の色彩を得ることができる。尚、装飾部材２に配合する着色粒子の含有量や色の種類を多くする場合は、例えば、インクジェット方式を用いた着色層形成工程を採用することにより手番の短縮が可能である。
【０１０５】
［第７の実施形態の暗所での表示例の説明：図９Ａ］
次に、図９Ａを用いて、例えば光透過率が異なる帯状の領域を有する装飾部材を備えた夜光性装飾物２１０の暗所における表示例を説明する。図９Ａは、暗所において夜光性装飾物２１０を上面（視認側）から見た表示例である。便宜的に樹脂からなる装飾部材２において、一番光透過率が高い部分を領域Ａ、二番目に光透過率が高い部分を領域Ｂ、三番目に光透過率が高い部分を領域Ｃ、一番光透過率が低い部分を領域Ｄとする。図９Ａにおいて、中央部に領域Ａを配置し、両端側に向けてそれぞれ領域Ｂ、領域Ｃ、領域Ｄを配置している。これにより、領域Ａが最も明るく発光し、両端側に向けて領域Ｂ、領域Ｃ、領域Ｄの順に段階的に暗く発光するようにできる。これにより、帯状のグラデーション模様を描くことができる。尚、図８Ａ〜図８Ｃを用いて説明した第６及び第７の実施形態は、同様のグラデーションを描くことができるが、それぞれの構成により明暗差は異なるので、用途に応じて適宜選択することができる。
【０１０６】
［第７の実施形態の暗所での立体形状の表示例の説明：図９Ｂ］
次に、図９Ｂを用いて、夜光性装飾物２１０を光透過率が異なる領域を有する構成とした場合の夜光性装飾物２１１の暗所における立体形状の表示例を説明する。図９Ｂは、暗所において夜光性装飾物２１１を上面（視認側）から見た表示例であり「立方体」を描いたものである。便宜的に樹脂からなる装飾部材２において、一番光透過率が高い部分を領域Ａ、二番目に光透過率が高い部分を領域Ｂ、三番目に光透過率が高い部分を領域Ｃ、一番光透過率が低い部分を領域Ｄとする。図９Ｂは、立方体の各面に対応する領域ごとに装飾部材２の光透過率を異ならせており、立方体の立体形状を視認しやすいように領域Ａ〜Ｄによって暗所での夜光性部材３の発光に明暗差を付与している。尚、本表示例を指針式の腕時計の文字板に応用した例を後述する（図１１Ａ、図１１Ｂ参照）。
【０１０７】
［夜光性装飾物を指針式の腕時計に用いた応用例の説明：図１０〜図１３Ｂ］
次に、図１０〜図１３Ｂを用いて夜光性装飾物を指針式の腕時計に用いた応用例を説明する。図１０は、夜光性装飾物を応用した腕時計５００の断面図を示し、図１１Ａは、明所での腕時計５００の情報表示部１２０ａの平面図、図１１Ｂは、暗所での情報表示部１２０ｂの平面図を示す。また、図１２Ａ、図１２Ｂは、夜光性装飾物の応用例であるシンボルロゴ１１８の斜視図及び断面図を示す。また、図１３Ａ、図１３Ｂは、夜光性装飾物の応用例であるシンボルマーク１１９の斜視図及び断面図をそれぞれ示す。
【０１０８】
尚、図１１Ａでは、説明をわかりやすくするために、明所での情報表示部を１２０ａとし、時字を１１５ａ、１１６ａ、１１７ａ、シンボルロゴを１１８ａ、シンボルマークを１１９ａ、絵柄を２１１ａと記載する。また、図１１Ｂでは、暗所での情報表示部を１２
０ｂとし、時字を１１５ｂ、１１６ｂ、１１７ｂ、シンボルロゴを１１８ｂ、シンボルマークを１１９ｂ、絵柄を２１１ｂと記載する。また、図１１Ａ、図１１Ｂにおいて、指針１０７（時針、分針、秒針）及び見切り部材１０８は図示を省略している。
【０１０９】
腕時計５００の特徴は、情報表示部１２０に、本発明の夜光性装飾物からなる時字１１５、時字１１６、時字１１７、指針１０７が要所に配置され、また、シンボルロゴ１１８、シンボルマーク１１９、絵柄２１１が要所に配置されている。明所では所望の金属感及び所望の色彩を有する視認性及び装飾性を備えるとともに夜光性部材に特有の白緑色系の色味を目立たなくし、暗所では、夜光性部材の発光の明暗差及び色彩を有するグラデーション模様、文字、絵柄などを描いて趣のある視認性及び装飾性を付与した応用例である。
【０１１０】
［断面構成の説明：図１０］
図１０において、腕時計５００は、外装ケース１０１の内部に情報表示部１２０及びムーブメント１０９を搭載し、外装ケース１０１の一方の側（図１０の上方側）から風防部材１０２をパッキン１０３とともに圧入し、他方の側（図１０の下方側）から裏蓋１１１を嵌めこんだ構成となっている。次に、情報表示部１２０は、本発明の夜光性装飾物を応用した時字１１５、１１６、１１７、夜光性装飾物１１８、１１９、２１１が配置された文字板１０６、指針１０７、見切り部材１０８等からなり、時刻などを表示できるようになっている。ムーブメント１０９は、電子回路及び指針１０７を駆動する機械駆動機構や電池等を有している。裏蓋１１１は、情報表示部１２０及びムーブメント１０９を外装ケース１０１内に搭載した後に、裏蓋用のスペーサ１１０を介して外装ケース１０１の裏側（図１０の下方側）から圧入等によって嵌め込まれ固定される。
【０１１１】
［明所での情報表示部１２０ａの説明：図１１Ａ］
次に、図１１Ａを用いて、腕時計５００の情報表示部１２０ａを説明する。情報表示部１２０ａは、明所での表示部の見え方を示す。情報表示部１２０ａは、本発明の夜光性装飾物が要所に配置されており、文字板１０６（例えば白色）に、時字１１５ａ、１１６ａ、１１７ａが配置されており時刻を表示できるようになっている。また、シンボルロゴ１１８ａ、シンボルマーク１１９ａ、絵柄２１１ａも配置されている。
【０１１２】
情報表示部１２０ａにおいて、時字１１５ａ、１１６ａ、１１７ａは、文字板１０６の外周部であって、見切り部材１０８（図１０参照）の内側に、円周方向に所定の角度間隔で配置されている。ここで、１２時を示す時字１１６ａは２個並べることで他の時字とは区別して視認できるようになっており、例えば前述した夜光性装飾物１６０又は１６５又は１７０の構成を応用して形成されている。時字１１６ａは、表面に装飾部材２を備え、金属感がある略直方体であり、文字板１０６の上面の所定の位置に例えばカシメや接着等の方法により固定されている。次に１時、２時、４時、５時、７時、８時、１０時、１１時を示す時字１１５ａは、例えば前述した夜光性装飾物１５０の構成を応用して形成されている。時字１１５ａは、表面に装飾部材２を備え、金属感があり時字１１６ａと略同じ大きさの略直方体であり、文字板１０６の上面の所定の位置に例えばカシメや接着等の方法により固定されている。次に、３時、６時、９時の時字１１７ａは、例えば前述した夜光性装飾物１６０又は１６５又は１７０の構成を応用して形成されている。時字１１７ａは、表面に装飾部材２を備え、金属感があり時字１１６ａ又は１１５ａとは少し形状が異なる略直方体とすることで他の時字とは区別して視認できるようになっており、文字板１０６の上面に例えばカシメや接着等の方法により固定されている。
【０１１３】
また、文字板１０６の１２時の時字１１６ａの下方にはシンボルロゴ１１８ａが配置されている。シンボルロゴ１１８ａは、例えば前述した夜光性装飾物１５０の構成及び開口パターンを応用しており、ここでは例えば凸状の「ＡＢＣ」として例示している。また、６時の時字１１７ａの上方にはシンボルマーク１１９ａが配置されている。シンボルマー
ク１１９ａは、例えば前述した夜光性装飾物１８５の構成及び夜光性装飾物１５０の開口パターンを応用しており、ここでは例えば凸状の「外形が円形状の縦縞模様」として例示している。また、絵柄２１１ａは、例えば夜光性装飾物２１１の構成を用い、図９Ｂの夜光性装飾物２１１で説明した「立方体」を再現したものである。ここでは、例えば絵柄２１１ａは、着色粒子を文字板と同系色（例えば白色）にすることで、明所では視認し難くなっているので破線にて表示している。尚、前述した夜光性装飾物２１１は、立方体の各面に対応する領域及びその周囲毎に装飾部材２の光透過率を異ならせており、立方体の立体形状を視認しやすいように光透過率の違いによって、夜光性部材３の発光の明暗差を付与している。夜光性装飾物２１１のかわりに図４Ｃを用いて説明した夜光性装飾物１６６を配置して暗所で球体を表示してもよい。
【０１１４】
このように、本発明の夜光性装飾物を時字やロゴ等に応用して所定の位置に配置することにより、腕時計５００は、明所では時刻を報知するだけでなく、所望の金属感や所望の色彩を有する文字、形状、絵柄等を有する視認性及び装飾性を備えるとともに夜光性部材に特有の白緑色系の色味を目立たなくすることができる。もちろん、図示は省略しているが指針１０７（時針、分針、秒針）や見切り部材１０８にも本発明の夜光性装飾物を適用されている。尚、シンボルロゴ１１８ａ及びシンボルマーク１１９ａの応用例の詳細については後述する。
【０１１５】
［暗所での情報表示部１２０ｂの説明：図１１Ｂ］
次に、図１１Ｂを用いて、腕時計５００の暗所での情報表示部１２０ｂを説明する。情報表示部１２０ｂは、前述した明所での情報表示部１２０ａが夜間等の外部光が遮断された状態の見え方を示す。情報表示部１２０ｂに配置された各夜光性装飾物において、夜光性部材３は、明所において外部光の光エネルギーを吸収して励起状態になっている。そして外部光が遮断された暗所おいて、夜光性部材３は励起状態から基底状態に戻る過程でゆっくり発光している。
【０１１６】
情報表示部１２０ｂにおいて、１２時の２つの時字１１６ｂは、明所では金属感のある２つの略直方体と視認されたが、暗所では開口部１の幅を異ならせて夜光性部材３の発光の明暗差を作り出すことで、それぞれ「１」、「２」と表示される。また、２つの時字１１６ｂの外形形状は、暗所では破線で示すように視認し難いので「１２」と視認される。また、３時、６時、９時の時字１１７ｂについては同様に、「３」、「６」、「９」と表示され視認される。次に、１時、２時、４時、５時、７時、８時、１０時、１１時の時字１１５ｂは、同様に明所では金属感がある略直方体と視認されたが、発光による「小さな矩形」に表示され視認される。このように、各時字は、明所では金属感のある略直方体と視認されたが、暗所では数字や小さな矩形に変化して発光するので、趣のある視認性及び装飾性を付与することができる。特に、１２時、３時、６時、９時の時字は、発光により数字で表示されるので、指針とともに時刻を瞬時に正確に視認することができる。また、シンボルロゴ１１８ａは、明所では金属感のある凸文字「ＡＢＣ」と視認されたが、発光によるグラデーション文字「ＡＢＣ」へと変化して趣のある表示として視認される。また、シンボルマーク１１９ｂは、明所では金属感のある「外形が円形状の縦縞模様」と視認されたが、発光による「外形が円形状の縦縞模様」へと変化して趣のある表示として視認される。また、絵柄２１１ｂは、明所では文字板に同化して視認し難いが、発光の明暗差を用いた表示によって「立方体」として視認されるので趣のある表示ができる。尚、明所において、絵柄２１１ａは文字板と同系色（例えば白色）にして視認し難くする例示をしたが、視認可能な他の色彩を施してもよい。
【０１１７】
このように、本発明の夜光性装飾物を時字や指針、シンボルロゴ、シンボルマーク、絵柄等に応用して要所に配置することにより、腕時計５００は、暗所では時刻を報知するだけでなく、夜光性部材３の発光により所望の色彩を有する数字、文字、グラデーション模
様、形状、絵柄等を描いて趣のある視認性及び装飾性を備えることができる。また明所では、所望の金属感や所望の色彩を有する文字、形状、絵柄などを描くことができる視認性及び装飾性を付与するとともに、夜光性部材に特有の白緑色系の色味を目立たなくした夜光性装飾物を提供することができる。尚、絵柄２１１ｂは、立方体の各面及びその周囲の光透過率を異ならせた構成とした夜光性装飾物２１１を採用したが、夜光性装飾物２００や夜光性装飾物２１０の構成を採用してもよく、或は、開口部を用いた夜光性装飾物１６６を採用してもよい。また、「立方体」を文字板に採用した例を説明したが、例えばシンボルロゴ、シンボルマーク、その他どのような絵柄に採用することもできる。
【０１１８】
［シンボルロゴ１１８の説明：図１２Ａ、図１２Ｂ］
次に、図１２Ａ、図１２Ｂを用いてシンボルロゴ１１８を説明する。図１２Ａは、シンボルロゴ１１８の斜視図を示し、図１２Ｂは、その要部のＧ−Ｇ’断面を示す。
【０１１９】
シンボルロゴ１１８の特徴は、基材４にシンボルロゴを形成したものであり、例えば凸状の文字「ＡＢＣ」を例として示している。また、前述した夜光性装飾物１５０の構成及び開口パターンを応用し、夜光性部材と装飾部材との間に透明部材５を用いることにより、暗所でのグラデーション模様や発光色の調整を可能にしたものである。
【０１２０】
図１２Ａにおいて、シンボルロゴ１１８は、基材４上に凸状の文字を形成し、ここでは「ＡＢＣ」として例示している。文字は、特に限定されずシンボルロゴとして自由な文字等を形成することができる。シンボルロゴ１１８は、文字板１０６（図１１Ａ参照）の所定の位置にカシメや接着等の方法によって固定される。次に、図１２Ｂにおいて、基材４に凸部が形成され、その上面に凹部１２が形成されている。凹部１２には、例えば蓄光粒子を樹脂バインダに含有させた塗料を充填形成し、乾燥させて夜光性部材３が平坦に形成されている。夜光性部材３の表面には透明部材５が透明接着剤又は夜光性接着剤により接合されている。透明部材５の表面には蒸着やスパッタリング等によって装飾部材２が積層形成されている。ここで装飾部材２に形成された開口パターンは、開口部１の幅が最も狭い両端側からそれぞれｔ〜ｔ’と変化して中央部が最も広い開口部ｔ’となっている。また、装飾部材２の幅は両端側からそれぞれｗ〜ｗ’と変化している。
【０１２１】
このように、シンボルロゴ１１８は、装飾部材２と夜光性部材３とが同一領域内に混在して配置され、装飾部材２に形成された開口パターンの開口幅ｔは約３μｍ〜１５．５μｍに設定されているので、暗所では、狭い開口幅では暗く発光し、広い開口幅では明るく発光する。これにより、暗所では文字「Ａ」の中央部が縦縞状に明るく発光し、「Ａ」の両端側が縦縞状に暗く発光するようなグラデーション模様を描くことができる。また、「Ｂ」、「Ｃ」の文字についても同様である。また明所では、装飾部材２に形成された開口パターンは視認し難いので金属感を有し且つ夜光性部材に特有の白緑色系の色味を目立たなくすることができる。この結果、シンボルロゴ１１８は、暗所ではグラデーション模様による趣のある視認性及び装飾性を備え、明所では金属感のある視認性及び装飾性を備えるとともに夜光性部材に特有の白緑色系の色味を目立たなくすることができる。
【０１２２】
尚、シンボルロゴ１１８において、透明部材５を着色することによって、夜光性部材３に特有の発光色を調整することができる。例えば、アクリル、ポリカ―ボネート等の透明樹脂又はガラスに、染料や顔料、蛍光体、あるいはそれらの複合物を含有させた透光性部材とすることによって、発光する夜光性部材３の発光色を変えることができる。例えば、透明部材５に蛍光体（Ｃａ１．２Ｅｕ０．８ＳｉＯ４）を用いると、波長３５０ｎｍ〜５００ｎｍの範囲に励起バンドを持ち、６５０ｎｍ（オレンジ系赤色）に発光ピークを有する色調整層とすることができる。また、特に限定はしないが他の蛍光体や染料、顔料を用いて他の色に発光させてもよい。また、透明部材５の表面に誘電体膜などを多層に形成して光の干渉を利用した発光色の変更を行ってもよい。
【０１２３】
また、シンボルロゴ１１８は透明部材５の表面平滑性を活かして鏡面状の光沢がある金属膜を容易に形成でき装飾部材の研磨工程の省略が可能となる。また、透明部材５は導光板として作用するので、明所で各開口部から取り込んだ外部光を夜光性部材全体に均一に吸収でき、蓄光効率が向上し発光時間を延長することができる。また、シンボルロゴ１１８は、図１２Ｂに示す断面図において透明部材５の側面を装飾部材２の一部で覆う構造にしているが、側面を覆わずに透明部材５の側面からの漏光を利用して文字の輪郭を強調するようにしてもよい。
【０１２４】
［シンボルマーク１１９の説明：図１３Ａ、図１３Ｂ］
次に、図１３Ａ、図１３Ｂを用いてシンボルマーク１１８を説明する。図１３Ａは、シンボルマーク１１９の斜視図を示し、図１３Ｂは、その要部のＨ−Ｈ’断面を示す。
【０１２５】
シンボルマーク１１９の特徴は、板状の装飾部材２に凸状の「シンボルマーク形状」を設けたものであり、例えば複数の縞状部からなる「縦縞模様」を例示している。帯状の開口部の幅を段階的に変化させることにより、段階的なグラデーション模様を可能にしたものである。
【０１２６】
図１３Ａにおいて、シンボルマーク１１９は、例えば金、銀、クロム等の金属からなる装飾部材２に、エッチング法等を用いて外形が円形状になるように配列された複数の縦縞（ｎ〜ｎ’）を凸状に形成している。図１３Ｂにおいて、各縦縞の上面には開口パターンが形成されており、各開口部１は開口幅（ｔ１〜ｔ４）及び装飾部材幅（ｗ１〜ｗ４）の帯状の溝が形成されている。また、各開口部１には、夜光性部材３がスキージ等によって充填形成され乾燥固化している。ここで、中央部の縦縞ｋに形成された開口幅がｔ１と最も広くなっていてｌ、ｍ、ｎ（又はｌ’、ｍ’、ｎ’）の順に両端側に向かって開口幅がｔ１〜ｔ４と順次狭くなっている。同様に、装飾部材幅ｗも、ｗ１〜ｗ４と適宜変化している。
【０１２７】
このように、シンボルマーク１１９は、装飾部材２と夜光性部材３とが同一領域内に混在して配置され、装飾部材２に形成された開口パターンは約３μｍ〜１５．５μｍに設定されているので、暗所では広い開口部を備える縦縞ｋが最も明るく発光し、狭い開口部を備える両端の縦縞ｎに近づくほど暗く発光する。これにより、中央部の縦縞（ｋ）が最も明るく発光し、両端側（ｎ、ｎ’）に向けて段階的に暗くなるグラデーション模様を描くことができる。また明所では、装飾部材２に形成された開口パターンは視認し難いので、金、銀、クロム等の高級な金属感を有し且つ夜光性部材に特有の白緑色系の色味を目立たなくすることができる。この結果、シンボルマーク１１９は、暗所ではグラデーション模様による趣のある視認性及び装飾性を備え、明所では所望の金属感のある視認性及び装飾性を備えるとともに夜光性部材に特有の白緑色系の色味を目立たなくすることができる。
【０１２８】
尚、シンボルマーク１１９は、帯状の開口部１を段階的に開口幅（ｔ１〜ｔ４）に形成することで段階的な明るさの表示を可能としたが、例えば前述した夜光性装飾部材１６５（図４Ａ参照）を応用して、角穴のサイズを例えば２種類から４種類に増すことによって４段階の明るさによる諧調表示の表現が可能になる。このように夜光性装飾部材１６５の開口パターンを応用し、諧調数を増すことによって、より複雑で趣のある模様を表現することができる。このような諧調表示が可能な夜光性装飾物は、腕時計のシンボルマークに限定されず表示部のいかなる場所にも設けることができる。
【０１２９】
尚、シンボルロゴ、シンボルマークは、文字板とは別部材として形成し、所定の位置にカシメや接着等の方法によって固定する構成としてもよいが、文字板の所定の位置に文字板と一体的に形成したり、文字板全体を本発明の夜光性装飾物としてもよい。
【０１３０】
以上、夜光性装飾物において、同一領域内に光透過率の異なる領域を形成するために、大別して３つの方法があり、それぞれの方法を実施形態にもとづいて説明した。これにより、暗所では、発光の明暗差及び色彩を有するグラデーション模様、文字、絵柄などを描くことができるので趣のある視認性及び装飾性を付与した夜光性装飾物を提供することができる。また明所では、所望の金属感や所望の色彩を有する文字、形状、絵柄などを描くことができる視認性及び装飾性を付与するとともに、夜光性部材に特有の白緑色系の色味を目立たなくした夜光性装飾物を提供することができる。
【０１３１】
尚、夜光性装飾物の各種実施形態及び構成例及びその応用例について詳細に説明したが、本発明は、このような実施形態及び構成例又は応用例に限定されるものではなく、細部の構成、素材、数量等において、本発明の思想を逸脱しない範囲で、任意に変更、追加、削除することができる。即ち、上述した夜光性装飾物の実施形態及び構成例及び応用例に限定されることはなく、それらのすべてを行う必要もなく、特許請求の範囲の各請求項に記載した内容の範囲で種々に変更や省略をすることができる。
【産業上の利用可能性】
【０１３２】
本発明は、蓄光性の夜光性部材を使用して夜間の暗い場所でも情報を正しく読み取る用途、例えば時計や電子機器、表示板などに適用することができる。特に、美しさと情報を正しく読み取ることに価値を見いだし、明所では所望の金属感や所望の色彩を備える視認性及び装飾性を必要とし、暗所では光透過率を変化させて明暗差及び色彩による多様な模様、文字、絵柄を作って趣のある視認性及び装飾性を必要とする製品に好適である。
【符号の説明】
【０１３３】
１    開口部
ｔ    開口部の幅（開口幅）
ｗ    装飾部材の幅（装飾部材幅）
２    装飾部材（金属膜、着色層）
３    夜光性部材
４    基材
５    透明部材
６    充填部材
９    発光部
１１  レジスト
１２  凹部
１０１  外装ケース
１０２  風防部材
１０３  パッキン
１０６  文字板
１０７  指針
１０８  見切り部材
１０９  ムーブメント
１１０  スペーサ
１１１  裏蓋
１１５、１１６、１１７  時字
１１５ａ、１１６ａ、１１７ａ  明所での時字
１１５ｂ、１１６ｂ、１１７ｂ  暗所での時字
１１８    シンボルロゴ
１１８ａ  明所でのシンボルロゴ
１１８ｂ  暗所でのシンボルロゴ
１１９、２１１  シンボルマーク
１１９ａ、２１１ａ  明所でのシンボルマーク
１１９ｂ、２１１ｂ  暗所でのシンボルマーク
１２０    情報表示部
１２０ａ  明所での情報表示部
１２０ｂ  暗所での情報表示部
１５０、１６０、１７０、１８０、１９０、２００、２１０  夜光性装飾物
５００    腕時計
【図１Ａ】
2018018063.tif 000003
【図１Ｂ】
2018018063.tif 000004
【図２Ａ】
2018018063.tif 000005
【図２Ｂ】
2018018063.tif 000006
【図３Ａ】
2018018063.tif 000007
【図３Ｂ】
2018018063.tif 000008
【図４Ａ】
2018018063.tif 000009
【図４Ｂ】
2018018063.tif 000010
【図４Ｃ】
2018018063.tif 000011
【図５Ａ】
2018018063.tif 000012
【図５Ｂ】
2018018063.tif 000013
【図６Ａ】
2018018063.tif 000014
【図６Ｂ】
2018018063.tif 000015
【図６Ｃ】
2018018063.tif 000016
【図６Ｄ】
2018018063.tif 000017
【図７Ａ】
2018018063.tif 000018
【図７Ｂ】
2018018063.tif 000019
【図７Ｃ】
2018018063.tif 000020
【図８Ａ】
2018018063.tif 000021
【図８Ｂ】
2018018063.tif 000022
【図８Ｃ】
2018018063.tif 000023
【図９Ａ】
2018018063.tif 000024
【図９Ｂ】
2018018063.tif 000025
【図１０】
2018018063.tif 000026
【図１１Ａ】
2018018063.tif 000027
【図１１Ｂ】
2018018063.tif 000028
【図１２Ａ】
2018018063.tif 000029
【図１２Ｂ】
2018018063.tif 000030
【図１３Ａ】
2018018063.tif 000031
【図１３Ｂ】
2018018063.tif 000032